(57)【特許請求の範囲】
【請求項１】
略リング状コアと、この略リング状コアに互いに隔離して巻回された複数の巻線と、前記巻線の端部寄りに設けられた端子とを備え、前記巻線の巻き始めおよび巻き終わりの端末を交差させて前記端子に接続したことを特徴とする電磁装置。
【発明の詳細な説明】
【０００１】
【発明の属する技術分野】
この発明は、電気機器のカレントトランスやノイズフィルタなどに用いられ、リング状コアにコイルを設けた電磁装置に関するものである。
【０００２】
【従来の技術】
図７および図８に示すように、リング状コア５０に複数のコイル５１、５２をトロイダル状に巻回し、電気機器等に用いられるトランスを形成している。使用される巻線５１、５２は、絶縁被膜を有するエネメル線が採用されるが、絶縁被膜の傷やピンホール等により、巻線５１、５２間の絶縁性能が低下する。
【０００３】
そこで、複数の巻線５１、５２間の電気絶縁を確保するために、１次巻線５１および２次巻線５２間に絶縁樹脂等からなる仕切板５３を用いているのが一般的である。仕切板５３を用いることにより、１次巻線５１および２次巻線５２間の絶縁距離（沿面距離）が確保できる。
５４は端子５５を設けたリング状ボビンであり、仕切板５３を設けるとともに、リング状コア５０を内蔵している。
【０００４】
【発明が解決しようとする課題】
従来のような仕切板５３を有するコア内蔵のリング状ボビン５４の場合、仕切板５３があるため部品点数が増加し、仕切板５３を設置するため工程の増加があり、仕切板５３があることによる巻線スペースの縮小化のため、巻線の巻線作業性が劣化し、また小型のリング状ボビンおよびリング状コアの採用が困難となり、リング状コアの絶縁にボビンではなく、絶縁樹脂コーティングされたリング状コアにも不適等の問題点があった。
【０００５】
したがって、この発明の目的は、仕切板を用いることなく、小型のリング状コアに巻線でき、しかも複数の巻線間の絶縁を確保できる電磁装置を提供することである。
【０００６】
【課題を解決するための手段】
請求項１記載の電磁装置は、略リング状コアと、この略リング状コアに互いに隔離して巻回された複数の巻線と、前記巻線の端部寄りに設けられた端子とを備え、前記巻線の巻き始めおよび巻き終わりの端末を交差させて前記端子に接続したことを特徴とするものである。
【０００７】
請求項１記載の電磁装置によれば、互いに交差した巻き始め端末および巻き終わり端末の張力により巻線がその軸方向に縮められるので、仕切板を用いずに複数の巻線間の絶縁距離の確保が容易にでき、仕切板を必要としないため部品点数および製造工程の削減が可能となる。とくに略リング状コアの内径の小さいものにおいて効果が大きい。
【０００８】
【発明の実施の形態】
この発明の第１の実施の形態を図１および図２により説明する。すなわち、この電磁装置であるトランスは、略リング状コア１と、複数の巻線２、３と、端子４ａ、４ｂ、５ａ、５ｂとを有する。
略リング状コア１は、円形リング状のフェライトを用いたトロイダルコアであり、表面が絶縁膜によりコーティングされている。
【０００９】
複数の巻線２、３は、略リング状コア１に互いに隔離して巻回されている。巻線２がたとえば１次巻線であり、巻線３が２次巻線である。
端子４ａ、４ｂ、５ａ、５ｂは、巻線２、３の端部寄りすなわち巻線２、３の端部の近傍に配置されている。実施の形態では巻線２、３を巻回した略リング状コア１を載せる四角形のボビン７のコーナの下面より垂下してボビン７の脚を兼ねている。ボビン７のコーナの上面は突起６を設け、略リング状コア１の脱落を防止している。
【００１０】
そして、巻線２、３の巻き始めおよび巻き終わりの端末２ａ、２ｂ、３ａ、３ｂを交差させて端子４ａ、４ｂ、５ａ、５ｂに接続している。すなわち巻線２の巻き始め端末２ａと巻き終わり端末２ｂは略リング状コア１に巻回された後クロスさせ、巻き始め端末２ａは巻線２の巻き終わり側にある端子４ｂに、また巻き終わり端末２ｂは巻き始め側の端子４ａに接続する。同様に巻線３の巻き始め端末３ａと巻き終わり端末３ｂも略リング状コア１に巻回された後クロスさせ、巻き始め端末３ａを巻線２の巻き終わり側にある端子５ｂに、また巻き終わり端末３ｂを巻き始め側の端子５ａに接続する。このように接続すると、巻き始めの端末２ａ（３ａ）と巻き終わりの端末２ｂ（３ｂ）の互いの張力により、略リング状コア１に巻回された巻線２（３）はそれぞれ軸方向に収縮力を受け密に収縮したコイル状となって軸方向の伸長が防止され、結果として複数の巻線２、３間の間隔とくに略リング状コア１の内径部側の絶縁間隔を確保できる。
【００１１】
第１の実施の形態によれば、互いに交差した巻き始め端末２ａ、３ａおよび巻き終わり端末２ｂ、３ｂの張力により巻線２、３がその軸方向に縮められるので、仕切板を用いずに複数の巻線２、３間の絶縁距離の確保が容易にでき、仕切板を必要としないため部品点数および製造工程の削減が可能となる。とくに略リング状コア１の内径の小さいものにおいて効果が大きい。
【００１２】
また絶縁樹脂コーティングされた略リング状コア１への巻線２、３も略リング状コア１の小型化に適しているため効果が大きい。
この発明の第２の実施の形態を図３および図４により説明する。すなわち、このトランスは、第１の実施の形態において、巻線の巻き始め端末２ａ、３ａと巻き終わり端末２ｂ、３ｂをクロスさせる部分を固定保持するため、ボビン７に巻線端末誘導兼保持用のＸ字状のクロス溝８を設けている。
【００１３】
このように、ボビン７にクロス溝８を設けることにより、巻線端末２ａ、２ｂ、３ａ、３ｂの位置決め固定が容易になる。その他は第１の実施の形態と同様である。
この発明の第３の実施の形態を図５および図６により説明する。すなわち、このトランスが第１の実施の形態と異なる点は、３本の巻線２、３、９が設けられた場合であり、６個の端子４ａ、４ｂ、５ａ、５ｂ、１０ａ、１０ｂが各巻線２、３、９の端部寄りの位置すなわち端部近傍の位置に配設されている。また各巻線２、３、９の端末２ａ、２ｂ、３ａ、３ｂ、９ａ、０ｂがクロスされて第１の実施の形態と同様に端子４ａ、４ｂ、５ａ、５ｂ、１０ａ、１０ｂに接続されている。その他は、第１の実施の形態と同様である。
【００１４】
【発明の効果】
請求項１記載の電磁装置によれば、互いに交差した巻き始め端末および巻き終わり端末の張力により巻線がその軸方向に縮められるので、仕切板を用いずに複数の巻線間の絶縁距離の確保が容易にでき、仕切板を必要としないため部品点数および製造工程の削減が可能となる。とくに略リング状コアの内径の小さいものにおいて効果が大きい。
【図面の簡単な説明】
【図１】この発明の第１の実施の形態の側面図である。
【図２】その平面図である。
【図３】第２の実施の形態のボビンの側面図である。
【図４】そのトランスの側面図である。
【図５】第３の実施の形態の平面図である。
【図６】その側面図である。
【図７】従来例の平面図である。
【図８】その側面図である。
【符号の説明】
１    略リング状コア
２    巻線
２ａ、２ｂ  端末
３    巻線
３ａ、３ｂ  端末
４ａ、４ｂ  端子
５ａ、５ｂ  端子
７    ボビン
９    巻線
９ａ、９ｂ  端末
１０ａ、１０ｂ  端子
【図１】
0003584707.tif 000002
【図２】
0003584707.tif 000003
【図３】
0003584707.tif 000004
【図４】
0003584707.tif 000005
【図５】
0003584707.tif 000006
【図６】
0003584707.tif 000007
【図７】
0003584707.tif 000008
【図８】
0003584707.tif 000009